(57)【特許請求の範囲】
【請求項１】
ワイヤレスデバイスによる無線通信の方法において、
複数のデバイスの各々が他の複数のデバイスの各送信と少なくとも部分的に同時にパケットを送信するように指示するメッセージを受信することと、
前記パケットの送信に関連する時間よりも大きな値を有するインジケータを備える前記パケットを生成することと、
送信のために前記パケットを提供することと、および
前記インジケータにおいて示される時間の間に前記パケットの受信に関するアクノレジメントを受信することと、前記値は、少なくとも拡張されたインターフレームスペースと前記アクノレジメントの送信時間だけ前記パケットの前記送信に関連する前記時間より大きい、
を備える、方法。
【請求項２】
前記パケットの前記送信に関連する前記時間は、前記パケットの時間期間を備える、請求項１の方法。
【請求項３】
前記パケットを送信するように前記複数のデバイスの各々に指示する前記メッセージは、前記ワイヤレスデバイスの識別子を備えるclear-to-sendフレームを備える、請求項１の方法。
【請求項４】
前記パケットを送信するように前記複数のデバイスの各々に指示する前記メッセージは、時間期間の表示を備え、前記方法は、前記時間期間の前記表示に基づいた前記値を有する前記インジケータを提供することをさらに備える、請求項１の方法。
【請求項５】
前記パケットを送信するように前記複数のデバイスの各々に指示する前記メッセージは、アクノレジメントの送信に関連する時間を示す時間期間の表示を備え、前記方法は、前記時間期間の前記表示に基づいた前記値を有する前記インジケータを提供することをさらに備える、請求項１の方法。
【請求項６】
前記パケットを送信するように前記複数のデバイスの各々に指示する前記メッセージは、パケット送信時間命令を備え、前記方法は、前記パケット送信時間命令により示される時間期間の間に送信のために前記パケットを提供することをさらに備える、請求項１の方法。
【請求項７】
前記パケットは、マルチ入力マルチ出力フレーム、または、直交周波数分割多元接続フレームを備える、請求項１の方法。
【請求項８】
無線通信に関する装置において、
複数のデバイスの各々が他の複数のデバイスの各送信と少なくとも部分的に同時にパケットを送信するように指示するメッセージを受信する手段と、
前記パケットの送信に関連する時間よりも大きな値を有するインジケータを備える前記パケットを生成する手段と、
送信のために前記パケットを提供する手段と、および
前記インジケータにおいて示される時間の間に前記パケットの受信に関するアクノレジメントを受信する手段と、前記値は、少なくとも拡張されたインターフレームスペースと前記アクノレジメントの送信時間だけ前記パケットの前記送信に関連する前記時間より大きい、
を備える、装置。
【請求項９】
前記パケットの前記送信に関連する前記時間は、前記パケットの時間期間を備える、請求項８の装置。
【請求項１０】
前記パケットを送信するように前記複数のデバイスの各々に指示する前記メッセージは、前記ワイヤレスデバイスの識別子を備えるclear-to-sendフレームを備える、請求項８の装置。
【請求項１１】
前記パケットを送信するように前記複数のデバイスの各々に指示する前記メッセージは、時間期間の表示を備え、前記装置は、前記時間期間の前記表示に基づいた前記値を有する前記インジケータを提供する手段をさらに備える、請求項８の装置。
【請求項１２】
前記パケットを送信するように前記複数のデバイスの各々に指示する前記メッセージは、アクノレジメントの送信に関連する時間を示す時間期間の表示を備え、前記インジケータの前記値は前記時間期間の前記表示に基づく、請求項８の装置。
【請求項１３】
前記パケットを送信するように前記複数のデバイスの各々に指示する前記メッセージは、パケット送信時間命令を備え、前記装置は、前記パケット送信時間命令により示される時間期間の間に送信のために前記パケットを提供する手段をさらに備える、請求項８の装置。
【請求項１４】
前記パケットは、マルチ入力マルチ出力フレーム、または、直交周波数分割多元接続フレームを備える、請求項８の装置。
【請求項１５】
請求項１〜請求項７のうちのいずれか一項に記載の方法を実行するための命令を備える、コンピュータプログラム。
【発明の詳細な説明】
【技術分野】
【０００１】
[0001]本開示のある態様は一般に、無線通信に関し、より具体的には、高効率のワイヤレスネットワークにおける無線通信を保護するための方法および装置に関する。
【背景技術】
【０００２】
[0002]多くのテレコミュニケーション・システムでは、通信ネットワークが、いくつかの相互作用する空間的に隔てられたデバイス間でメッセージを交換するために使用される。ネットワークは、地理的範囲に応じて分類されることができ、それは、例えば、メトロポリタンエリア、ローカルエリア、またはパーソナルエリアであることができる。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定されうる。ネットワークはまた、様々なネットワークノードおよびデバイスを相互接続するために使用される交換／ルーティング技法（例えば、回線交換対パケット交換）、送信のために用いられる物理媒体のタイプ（例えば、有線対無線）、および使用される通信プロトコルのセット（例えば、インターネットプロトコルスイート、ＳＯＮＥＴ（同期型光ネットワーキング）、イーサネット（登録商標）、等）にしたがって異なる。
【０００３】
[0003]ワイヤレスネットワークは、ネットワーク要素が移動式であり、これにより、動的接続性のニーズを有する場合、またはネットワークアーキテクチャが、固定式というよりはむしろ、アドホックのトポロジにおいて形成される場合に好まれることが多い。ワイヤレスネットワークは、無線、マイクロ波、赤外線、光（optical）、等の周波数帯における電磁波を使用して、無誘導伝搬モード（unguided propagation mode）における無形物理媒体を用いる。ワイヤレスネットワークは、固定された有線ネットワークと比較するとユーザモビリティおよび迅速なフィールド展開を有利に促進する。
【０００４】
[0004]ワイヤレスネットワークにおけるデバイスは、互いの間で情報を送信/受信することができる。デバイス送信は、互いに干渉することができ、ある送信は、他の送信を選択的に阻止することができる。多くのデバイスが１つの通信ネットワークを共有する場合、輻輳した非効率なリンク使用を生じ得る。そのため、高効率ワイヤレスネットワークにおける通信効率を改善するためのシステム、方法、および非一時的コンピュータ読取可能媒体が必要とされる。
【発明の概要】
【０００５】
[0005]添付された請求項の範囲内のシステム、方法、およびデバイスの様々なインプリメンテーションは、いくつかの態様をそれぞれ有し、これらのうちのどれ１つとして、単独でここに説明される望ましい属性（attributes）を担うものではない。添付の特許請求の範囲を限定することなく、いくつかの顕著な特徴がここに説明される。
【０００６】
[0006]本明細書で説明される主題の１つまたは複数のインプリメンテーションの詳細は、添付図面および以下の説明で記述される。他の特徴、様態、および利点は、説明、図面、および請求項から明らかになるだろう。以下の図面の相対的な寸法は原寸通りに描かれていないことに留意されたい。
【０００７】
[0007]本開示のある態様は、無線通信に関する装置を提供する。装置は、複数のデバイスの各々が他の複数のデバイスの各送信と少なくとも一部同時にパケットを送信するように指示するメッセージを受信するように構成される処理システムを含む。処理システムはさらにパケットを生成するように構成される。パケットはパケットの送信に関連する時間よりも大きな値を有するインジケータを含む。インタフェースは、送信用パケットを提供するように構成される。
【０００８】
[0008]種々の態様において、処理システムは、インジケータ内に示される時間期間にパケットの受信に関するアクレノレジメントを受信するように構成されることができる。インジケータは、少なくともアクノレジメントの送信時間だけパケットの送信に関連する時間より大きな値を有する。種々の態様において、パケットの送信に関連する時間はパケットの時間期間であり得る。
【０００９】
[0009]種々の態様において、複数のデバイスの各々にパケットを送信することを指示するメッセージは、装置の識別子を含むclear-to-sendフレームを含むことができる。種々の態様において、複数のデバイスの各々にパケットを送信することを指示するメッセージは、時間期間の表示を含むことができる。インジケータの値は、時間期間の表示に基づくことができる。種々の態様において、時間期間はアクノレジメントの送信に関連する時間を示すことができる。
【００１０】
[0010]種々の態様において、複数のデバイスの各々にパケットを送信することを指示するメッセージは、パケット送信時間命令を含むことができる。処理システムは、パケット送信時間命令により示される時間期間にパケットを生成するように構成されることができる。
【００１１】
[0011]種々の態様において、パケットは、マルチ入力マルチ出力フレームまたは直交周波数分割多元接続フレームを含むことができる。種々の態様において、パケットは、インジケータを含むシングルユーザ部を含むことができる。シングルユーザ部は802.11aまたは802.11bプリアンブルフォーマットと互換性があり得る。種々の態様において、パケットは、パケット送信時間の表示を伴わないマルチユーザ部を含むことができる。
【００１２】
[0012]種々の態様において、パケットは、複数のデバイスの１つにより送信されるパケットと同一の部分を含むことができる。該部分はインジケータを含むことができる。
【００１３】
[0013]別の態様は、無線通信の方法を提供する。方法は、他の複数のデバイスの各送信に少なくとも部分的に同時にパケットを送信することを複数のデバイスの各々に指示するメッセージをワイヤレスデバイスにおいて受信することを含む。方法はさらに、パケットを生成することを含む。パケットはインジケータを含む。インジケータはパケットの送信に関連する時間より大きな値を有する。方法は、さらに送信用パケットを提供することを含む。
【００１４】
[0014]種々の態様において、方法は、インジケータにおいて示される時間期間にパケットの受信に関するアクノレジメントを受信することをさらに含むことができる。インジケータは、少なくともアクノレジメントの送信時間だけパケットの送信に関連する時間よりも大きな値を有することができる。種々の態様において、パケットの送信に関連する時間は、パケットの時間期間であり得る。
【００１５】
[0015]種々の態様において、複数のデバイスの各々にパケットを送信することを指示するメッセージは、ワイヤレスデバイスの識別子を含むclear-to-sendフレームを含むことができる。種々の態様において、複数のデバイスの各々にパケットを送信することを指示するメッセージは、時間期間の表示を含むことができる。インジケータの値は、時間期間の表示に基づくことができる。種々の態様において、時間期間はアクノレジメントの送信に関連する時間を示すことができる。
【００１６】
[0016]種々の態様に置いて、複数のデバイスの各々にパケットを送信することを指示するメッセージは、パケット送信時間命令を含むことができる。方法はさらにパケット送信時間により示される時間期間に送信用パケットを提供することができる。
【００１７】
[0017]種々の態様において、パケットはマルチ入力マルチ出力フレームまたは直交周波数分割多元接続フレームを含むことができる。種々の態様において、パケットはインジケータを含むシングルユーザ部を含むことができる。シングルユーザ部は802.11aまたは802.11bと互換性があり得る。種々の態様において、パケットは、パケット送信時間の表示を伴わないマルチユーザ部を含むことができる。
【００１８】
[0018]種々の態様において、パケットは、複数のデバイスの１つにより送信されるパケットと同一の部分を含むことができる。この部分は、インジケータを含むことができる。
【００１９】
[0019]他の態様は、無線通信に関する装置を提供する。装置は、複数のデバイスの各々に他の複数のデバイスの各送信と少なくとも部分的に同時に送信することを指示するメッセージを受信する手段を含む。装置はさらにパケットを生成する手段を含む。パケットはインジケータを含む。インジケータは、パケットの送信に関連する時間より大きな値を有する。装置はさらに送信用パケットを提供する手段を含む。
【００２０】
[0020]種々の態様において、装置は、インジケータにおいて示される時間期間にパケットの受信に関するアクノレジメントを受信する手段をさらに含む。インジケータは、少なくともアクノレジメントの送信時間だけパケットの送信に関連する時間よりも大きな値を有することができる。種々の態様において、パケットの送信に関連する時間はパケットの時間期間であり得る。
【００２１】
[0021]種々の態様において、複数のデバイスの各々にパケットを送信することを指示(instruct)するメッセージは、装置の識別子を含むclear-to-sendフレームを含むことができる。種々の態様において、複数のデバイスの各々にパケットを送信することを指示するメッセージは、時間期間の表示を含むことができる。インジケータの値は時間期間の表示に基づくことができる。種々の態様において、時間期間はアクノレジメントの送信に関連する時間を示すことができる。
【００２２】
[0022]種々の態様において、複数のデバイスの各々を指示するメッセージは、パケット送信時間命令を含むことができる。装置は、さらにパケット送信時間命令により示される時間期間に送信用パケットを提供する手段を含むことができる。
【００２３】
[0023]種々の態様において、パケットは、マルチ入力マルチ出力フレームまたは直交周波数分割多元接続フレームを含むことができる。種々の態様において、パケットは、インジケータを含むシングルユーザ部を含むことができる。シングルユーザ部は802.11aまたは802.11bプリアンブルフォーマットと互換性があり得る。種々の態様において、パケットは、パケット送信時間の表示を伴わないマルチユーザ部を含むことができる。
【００２４】
[0024]種々の態様において、パケットは、複数のデバイスの１つにより送信されるパケットと同一の部分を含むことができる。該部分は、インジケータを含むことができる。
【００２５】
[0025]他の態様は、実行されると装置に無線通信の方法を実行させる命令で符号化されたコンピュータ読み取り可能媒体を含むコンピュータプログラムプロダクトを提供する。方法は、複数のデバイスの各々に他の複数のデバイスの各送信に少なくとも部分的に同時にパケットを送信することを指示するメッセージを受信することを含む。方法はさらに、パケットを生成することを含む。パケットはインジケータを含む。インジケータは、パケットの送信に関連する時間より大きな値を有する。方法はさらに送信用パケットを提供する。
【００２６】
[0026]種々の態様において、方法はさらに、インジケータにおいて示される時間期間にパケットの受信に関するアクノレジメントを受信することを含む、値は少なくともアクノレジメントの送信時間だけパケットの送信に関連する時間よりも大きい。種々の態様において、パケットの送信に関連する時間はパケットの時間期間であり得る。
【００２７】
[0027]種々の態様において、パケットを送信することを複数のデバイスの各々に指示するメッセージは、装置の識別子を含むclear-to-sendフレームを含むことができる。種々の態様において、パケットを送信することを複数のデバイスの各々に指示するメッセージは時間期間の表示を含むことができる。インジケータの値は時間期間の表示に基づくことができる。種々の態様において、時間期間はアクノレジメントの送信に関連した時間を示すことができる。
【００２８】
[0028]種々の態様において、パケットを送信することを複数のデバイスの各々に指示するメッセージはパケット送信時間命令を含むことができる。方法はさらにパケット送信時間命令により示される時間期間の間に送信用パケットを提供することを含むことができる。
【００２９】
[0029]種々の態様においてパケットは、マルチ入力マルチ出力フレームまたは直交周波数分割多元接続フレームを含むことができる。種々の態様において、パケットはインジケータを含むシングルユーザ部を含むことができる。シングルユーザ部は、802.11aまたは802.11bプリアンブルフォーマットと互換性があり得る。種々の態様において、パケットはパケット送信時間の表示を伴わないマルチユーザ部を含むことができる。
【００３０】
[0030]種々の態様において、パケットは複数のデバイスの１つにより送信されたパケットに同一の部分を含むことができる。該部分はインジケータを含むことができる。
【００３１】
[0031]他の態様は無線通信の無線ノードを提供する。無線ノードはアンテナを含む。無線ノードはさらに他の複数のデバイスの各送信と少なくとも一部同時にパケットを送信することを複数のデバイスの各々に指示するメッセージを受信するように構成される処理システムを含む。処理システムはさらにパケットを生成するように構成される。パケットはインジケータを含む。インジケータはパケットの送信に関連する時間よりも大きな値を有する。インタフェースはさらにアンテナを介して送信用パケットを提供するように構成される。
【図面の簡単な説明】
【００３２】
[0032]
【図１】図１は、本開示の態様が採用されることができるワイヤレス通信システムの例を例示する。
【００３３】
[0033]
【図２】図2は、図１のワイヤレス通信システム内で採用されることができるワイヤレスデバイスにおいて利用され得る様々な構成部品を示す。
【００３４】
[0034]
【図３】図３は例示ワイヤレス通信システムの図である。
【００３５】
[0035]
【図４】図４は１つの態様に従う、例示ワイヤレスフレーム交換の図である。
【００３６】
[0036]
【図５】図５は他の態様に従う、例示ワイヤレスフレーム交換の図である。
【００３７】
[0037]
【図６】図６は図５のワイヤレスフレーム交換の時間シーケンス図である。
【００３８】
[0038]
【図７】図７は他の態様に従う、図６のワイヤレスフレーム交換の時間シーケンス図である。
【００３９】
[0039]
【図８】図８はＯＦＤＭＡ部またはＭＵ−ＭＩＭＯ部を含む物理レイヤデータユニット（ＰＰＤＵ）パケットフォーマットの態様の図である。
【００４０】
[0040]
【図９】図９は、図１のワイヤレス通信システム内で採用されることができる無線通信の例示方法のフローチャートを示す。
【００４１】
[0041]
【図１０】図10は、無線通信の装置の機能ブロック図である。
【発明を実施するための形態】
【００４２】
[0042]新規なシステム、装置、および方法の様々な態様が、添付の図面を参照して以下により十分に説明される。しかしながら、本開示の教示は、多くの異なる形態で具現化されることができ、この開示の全体にわたって提示されるいずれかの特定の構造または機能に限定されると解釈されるべきではない。むしろ、これらの態様は、本開示を徹底的かつ完全なものとし、本開示の範囲を当業者に十分に伝達するように提供される。ここでの教示に基づき、当業者は、本開示の範囲が、本発明のその他いずれかの態様と組み合わされてインプリメントされようと、あるいは独立してインプリメントされようと、ここに開示される新規なシステム、装置、および方法のいずれかの態様をカバーするように意図されていることを理解すべきである。例えば、本明細書に説明されるいずれかの数の態様を使用して、装置がインプリメントされることができ、または方法が実施されることができる。加えて、本明細書で説明した発明の多様な態様に加えた、または、本明細書で説明した発明の多様な態様以外の、他の構成、機能性、または、構造および機能性を使用して実施されるそのような装置または方法をカバーすることを発明の範囲は意図されている。本明細書で開示される開示のいずれかの態様は、特許請求の範囲の１つ以上の要素によって具現化されることができることは理解されるべきである。
【００４３】
[0043]特定の態様が本明細書で説明されるが、これらの態様の多くの変形および置換が、本開示の範囲内に含まれる。好ましい態様のいくつかの恩恵および利点が説明されるが、本開示の範囲は、特定の恩恵、使用、または目的に限定されることを意図しない。そうではなく、本開示の態様は、異なる無線技術、システム構成、ネットワーク、および伝送プロトコルに広く適用可能であることが意図され、そのうちのいくつかは、図面および好ましい態様の下記の説明において、例として示される。詳細な説明および図面は単に、限定というよりはむしろ本開示の例示であり、本開示の範囲は、添付された特許請求の範囲およびそれらの同等物によって定義されている。
【００４４】
[0044]ワイヤレスネットワーク技術は、ワイヤレスローカルエリアネットワーク（ＷＬＡＮｓ）の様々なタイプを含むことができる。広く使用されるネットワーキングプロトコルを採用するWLANは、隣接するデバイスを共に相互接続するために使用されることができる。ここで説明される様々な態様は、Ｗｉ−Ｆｉ、またはより一般的には、ワイヤレスプロトコルのＩＥＥＥ ８０２．１１ファミリのいずれかのメンバのような、いずれかの通信標準に適用されうる。
【００４５】
[0045]いくつかの態様において、無線信号は、直交周波数分割多重（ＯＦＤＭ）、直接拡散方式（ＤＳＳＳ）通信、ＯＦＤＭおよびＤＳＳＳ通信の組み合わせ、または他のスキームを使用して、高効率８０２．１１プロトコルにしたがって送信されることができる。高効率８０２．１１プロトコルのインプリメンテーションは、インターネットアクセス、センサ、メータリング、スマートグリッドネットワーク、または他の無線アプリケーションに対して使用されうる。便宜的には、この特定のワイヤレスプロトコルをインプリメントするあるデバイスの態様は、他のワイヤレスプロトコルをインプリメントするデバイスよりも少ない電力を消費することができ、短距離にわたって無線信号を送信するのに用いられることができ、および／または人間のような物体により阻止される可能性が少ない信号を送信することができる。
【００４６】
[0046]いくつかのインプリメンテーションにおいて、ＷＬＡＮは、ワイヤレスネットワークにアクセスするコンポーネントである様々なデバイスを含む。例えば、アクセスポイント（「ＡＰｓ」）と（局、または「ＳＴＡｓ」とも呼ばれる）クライアントとの２つのタイプのデバイスが存在されることができる。一般に、ＡＰは、ハブとしての役割をし、または、ＷＬＡＮおよびＳＴＡに関する基地局はＷＬＡＮのユーザとしての役割をする。例えば、STAは、ラップトップコンピュータ、携帯情報端末(PDA)、モバイル電話機、等であることができる。例では、STAは、インターネットにまたは他のワイドエリアネットワークに一般的な接続性を取得するためにワイヤレスリンクに準拠したWI-FI(例えば、802.11ahのようなIEEE 802.11プロトコル)を介してAPに接続する。いくつかのインプリメンテーションではSTAはまた、APとして使用されることができる。
【００４７】
[0047]ここに記載された技術は、直交多重スキームに基づく通信システムを含む様々なブロードバンドワイヤレス通信システムに用いられ得る。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム、マルチ入力マルチ出力（ＭＩＭＯ）システム等を含む。ＳＤＭＡシステムは、異なる方向を効率よく利用して、複数のユーザ端末に属するデータを同時に送信されることができる。ＴＤＭＡシステムは、送信信号を異なるタイムスロットに分割することにより同じ周波数チャネルを複数のユーザ端末が共有することを可能にすることができる。各タイムスロットは、異なるユーザ端末に割り当てられる。ＴＤＭＡシステムは、ＧＭＳまたは当技術分野において知られている何らかの他の標準をインプリメントすることができる。ＯＦＤＭＡシステムは、直交周波数分割多重（ＯＦＤＭ）を利用する、それは、システム帯域幅全体を複数の直交サブキャリアに分割する変調技法である。これらサブキャリアは、トーン、ビン、等とも呼ばれ得る。ＯＦＤＭでは、各サブキャリアはデータと共に独立して変調され得る。ＯＦＤＭシステムは、ＩＥＥＥ８０２．１１または当技術分野において知られている何らかの他の標準をインプリメントすることができる。ＳＣ−ＦＤＭＡシステムは、隣接サブキャリアの複数のブロック上で送信するためにエンハンスドＦＤＭＡ（ＥＦＤＭＡ）を、または隣接サブキャリアの１つのブロック上で送信するためにローカライズされたＦＤＭＡ（ＬＦＤＭＡ）を、またはシステム帯域幅にわたり分配された複数のサブキャリア上で送信するためにインターリーブされたＦＤＭＡ（ＩＦＤＭＡ）を利用することができる。一般に、変調シンボルは、ＯＦＤＭでは周波数領域で、ＳＣ−ＦＤＭＡでは時間領域で、送られる。ＳＣ−ＦＤＭＡシステムは、３ＧＰＰ（登録商標）−ＬＴＥ（登録商標）（第３世代パートナーシッププロジェクトのロングタームエボリューション）または他の標準をインプリメントされることができる。
【００４８】
[0048]ここでの教示は、様々なワイヤードまたはワイヤレス装置（例えば、ノード）に組み込まれ得る（例えば、その中にインプリメントされるか、またはそれによって実行される）。いくつかの態様では、本明細書における教示に従ってインプリメントされたワイヤレスノードは、アクセスポイントまたはアクセス端末を備え得る。
【００４９】
[0049]アクセスポイント（「ＡＰ」）は、ノードＢ、ワイヤレスネットワークコントローラ（「ＲＮＣ」）、ｅＮｏｄｅＢ、基地局コントローラ（「ＢＳＣ」）、ベーストランシーバステーション（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の用語を含めることができ、またはそれらとしてインプリメントされることができ、または、それらとして知られ得る。
【００５０】
[0050]局「ＳＴＡ」はまた、ユーザ端末、アクセス端末（「ＡＴ」）、加入者局、加入者ユニット、モバイル局、遠隔局、遠隔端末、ユーザエージェント、ユーザエージェント、ユーザデバイス、ユーザ機器、または何らかの他の用語を含めることができ、それらとしてインプリメントされることができ、またはそれらとして知られうる。いくつかのインプリメンテーションにおいて、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、無線接続能力を有するハンドヘルドデバイス、または無線モデムに接続された何らかの他の適した処理デバイスを備えうる。それ故に、本明細書において教示される１つまたは複数の態様は、電話（例えば、セルラ電話またはスマートフォン）、コンピュータ（例えば、ラップトップ）、ポータブル通信デバイス、ヘッドセット、ポータブル計算デバイス（例えば、携帯情報端末）、エンターテインメントデバイス（例えば、音楽または映像デバイス、または衛星ラジオ）、ゲーミングデバイスまたはシステム、全地球測位システムデバイス、または無線媒体を介して通信するように構成されたいずれかの他の適したデバイス内に組み込まれ得る。
【００５１】
[0051]上述されたように、ここで説明されるデバイスのうちのある特定のものは、例えば、８０２．１１ａｈ標準をインプリメントされることができる。そのようなデバイスは、STAまたはAPまたは他のデバイスとして使用されようとなかろうと、スマートメータリングに、またはスマートグリッドネットワークで使用されることができる。そのようなデバイスは、センサアプリケーションを提供する、またはホームオートメーションで使用されることができる。デバイスは代替としてまたは加えて、例えば、パーソナルヘルスケアのために、ヘルスケアコンテキストにおいて使用されうる。それらはまた、マシンツーマシン通信をインプリメントするための、または拡張された-レンジのインターネットの接続性(例えば、ホットスポットとともに使用するために)を可能にするための、調査に使用されることができる。
【００５２】
[0052]図１は、本開示の態様が採用されることができるワイヤレス通信システム１００の一例を例示する。ワイヤレス通信システム１００は無線標準、例えば、802.11ah, 802.11ac, 802.11n, 802.11g および802.11b標準の少なくとも１つに従って動作することができる。ワイヤレス通信システム100は、ＡＰ104を含むことができ、それは、STAs106と通信する。
【００５３】
[0053]多様な処理および方法は、ＡＰ１０４と複数のSTAs106との間のワイヤレス通信システム１００における送信のために使用されることができる。例えば、信号は、ＯＦＤＭ／ＯＦＤＭＡ技法にしたがって、ＡＰ１０４と複数のＳＴＡｓ１０６との間で送受信されることができる。この場合には、ワイヤレス通信システム１００は、ＯＦＤＭ／ＯＦＤＭＡシステムと呼ばれることができる。代替として、あるいは追加的に、信号は、ＣＤＭＡ技法に従って、ＡＰ１０４と複数のＳＴＡｓ１０６の間で送受信されることができる。この場合には、ワイヤレス通信システム１００は、ＣＤＭＡシステムと呼ばれることができる。代替としてあるいは追加的に、信号は、ＭＩＭＯ技法に従って、ＡＰ１０４と複数のＳＴＡｓ１０６との間で送受信されることができる。この場合には、ワイヤレス通信システム１００は、ＭＩＭＯシステムと呼ばれることができる。種々の態様において、ワイヤレス通信システム１００は、例えば、ＯＦＤＭＡおよびＭＩＭＯのような技術の組み合わせを同時に採用することができる。
【００５４】
[0054]ＡＰ１０４から１つ以上のSTAs１０６ヘの送信を促進する通信リンクは、ダウンリンク（DL）１０８と称されることができ、１つ以上のSTAs１０６からＡＰ１０４への送信を促進する通信リンクは、アップリンク(UL)１１０と称されることができる。代替的に、ダウンリンク１０８はフォワードリンクまたはフォワードチャネルと称され、アップリンク１１０はリバースリンクまたはリバースチャネルと称されることができる。
【００５５】
[0055]AP104は、基本サービスエリア(BSA)102において無線通信カバレッジを提供することができる。AP104は、AP104と関連する、および通信にAP104を使用するSTAs106とともに、基本サービスセット(BSS)と称されることができる。ワイヤレス通信システム１００は、中央ＡＰ１０４を有さない可能性があるが、むしろＳＴＡ１０６間でのピアツーピアネットワークとして機能されることができることに留意されたい。それゆえに、本明細書で説明されたAP104の機能は、１つ以上のSTAs106によって代替的に実施されることができる。
【００５６】
[0056]図２は、図１のワイヤレス通信システム１００内で採用されることができるワイヤレスデバイス２０２において利用されうる様々なコンポーネントを例示する。ワイヤレスデバイス202は、本明細書で説明される多様な方法をインプリメントするように構成されることができるデバイスの例である。例えば、ワイヤレスデバイス２０２は、ＡＰ１０４、または複数のＳＴＡｓ１０６のうちの１つを備えることができる。
【００５７】
[0057]ワイヤレスデバイス202は、ワイヤレスデバイス202の動作を制御するプロセッサ204を含みうる。プロセッサ204は、中央処理ユニット（ＣＰＵ）とも称されることができる。読取専用メモリ（ＲＯＭ）とランダムアクセスメモリ（ＲＡＭ）との両方を含み得るメモリ206は、命令およびデータをプロセッサ204に提供する。メモリ206の一部は、不揮発性ランダムアクセスメモリ（ＮＶＲＡＭ）も含むことができる。プロセッサ204は典型的に、メモリ206内に記憶されたプログラム命令に基づいて論理および算術演算を遂行する。メモリ206内の命令群は、本明細書に説明された方法をインプリメントするために実行可能であることができる。
【００５８】
[0058]プロセッサ204は、１つまたは複数のプロセッサでインプリメントされた処理システムのコンポーネントであり得る、またはそれを備え得る。１つまたは複数のプロセッサは、汎用マイクロプロセッサ、マイクロコントローラ、デジタルシグナルプロセッサ（ＤＳＰｓ）、フィールドプログラマブルゲートアレイ（ＦＰＧＡｓ）、プログラマブル論理デバイス（ＰＬＤｓ）、コントローラ、ステートマシン、ゲート論理、離散ハードウェアコンポーネント、専用ハードウェア有限ステートマシン、または計算あるいは情報の他の操作を遂行することができるいずれかの他の適したエンティティのいずれかの組み合わせでインプリメントされることができる。
【００５９】
[0059]処理システムは、ソフトウェアを記憶するための機械可読媒体も含むことができる。ソフトウェアは、ソフトウェア、ファームウェア、ミドルウェア、マイクロコード、ハードウェア記述言語、または、その他のものと称されるか否かにかかわらず、ソフトウェアは、命令のいずれかのタイプを意味するように広く解釈されるべきである。命令は、コード（例えば、ソースコードフォーマット、バイナリコードフォーマット、実行可能コードフォーマット、コードのいずれかの他の適切なフォーマット）を含むことができる。命令は、１つ以上のプロセッサによって実行される場合、本明細書で説明された多様な機能を実施することを処理システムにさせる。
【００６０】
[0060]ワイヤレスデバイス202は、また、ワイヤレスデバイス202とリモートロケーション間のデータの送受信を可能にするための送信機210および受信機212を含むことができるハウジング208も含むことができる。送信機210および受信機212は、トランシーバ214に結合されることができる。アンテナ216は、ハウジング208に取り付けられ、トランシーバ214に電気的に結合されることができる。ワイヤレスデバイス２０２は、また、例えばＭＩＭＯ通信の間に利用され得る複数の送信機、複数のトランシーバおよび／または複数のアンテナを含むことができる。
【００６１】
[0061]種々の実施形態において、通信インタフェース（または「インタフェース」）は送信機２１０、受信機２１２およびトランシーバ２１４のいずれかを含むことができる。ここで使用されるように、用語インタフェースは、２つ以上のデバイスを一緒に接続するように構成されるハードウェアまたはソフトウェアに言及することができる。たとえば、インタフェースはプロセッサまたはバスの一部であり得、デバイス間で情報またはデータの通信を可能にするように構成されることができる。インタフェースは、チップまたは他のデバイスに集積されることができる。例えば、いくつかの実施形態において、インタフェースは、別の装置におけるデバイスからの情報または通信を受信するように構成される受信機を備えることができる。インタフェース（例えば、プロセッサまたはバスの）はフロントエンドまたは他のデバイスにより処理される情報またはデータを受信できるかまたは受信された情報を処理することができる。いくつかの実施形態において、インタフェースは、情報またはデータを他のデバイスに送信または通信するように構成された送信機を備えることができる。従って、インタフェースは、（たとえば、バスを介して）情報またはデータを送信できるかあるいは送信のために出力するために情報またはデータを作成する。
【００６２】
[0062]ワイヤレスデバイス202はまた、トランシーバ214によって受信された信号のレベルを検出および定量化する試みにおいて使用されうる信号検出器218を含みうる。信号検出器218は、総エネルギー、シンボルあたりのサブキャリアごとのエネルギー、電力スペクトル密度、および他の信号のような信号を検出することができる。ワイヤレスデバイス202はまた、信号を処理する際の使用のために、デジタル信号プロセッサ（ＤＳＰ）を含むことができる。ＤＳＰ２２０は、送信用のデータユニットを生成するように構成されることができる。いくつかの態様では、データユニットは、物理レイヤデータユニット（ＰＰＤＵ）を備えることができる。いくつかの態様では、ＰＰＤＵは、パケットと称される。
【００６３】
[0063]ワイヤレスデバイス202は、いくつかの態様においてユーザインターフェース222をさらに備えることができる。ユーザインターフェース222は、キーパッド、マイクロフォン、スピーカ、および／またはディスプレイを備えることができる。ユーザインターフェース222は、ワイヤレスデバイス202のユーザに情報を伝えるおよび／またはユーザからインプットを受信するいずれかのエレメントまたはコンポーネントを含むことができる。
【００６４】
[0064]ワイヤレスデバイス202の多様なコンポーネントは、バスシステム226によって結合されることができる。バスシステム226は、例えば、データバス、ならびに、データバスに加えて、電力バス、制御信号バス、およびステータス信号バスを含むことができる。当業者は、ワイヤレスデバイス202のコンポーネントが、いくつかの他のメカニズムを使用して互いに結合される、受け取る、インプットを提供することができることを理解するであろう。
【００６５】
[0065]たくさんの別々のコンポーネントが図2に図示されるが、当業者は、１つ以上のコンポーネントは、結合される、または共通にインプリメントされることができるということを認識するであろう。例えば、プロセッサ204は、プロセッサ204に関して上述された機能性をインプリメントするだけでなく、信号検出器218および／またはＤＳＰ220に関して上述された機能性をインプリメントするためにも使用されることができる。さらに、図2に図示されたコンポーネントの各々は、複数の別個のエレメントを使用してインプリメントされることができる。
【００６６】
[0066]上記に説明されたように、ワイヤレスデバイス２０２は、ＡＰ１０４またはＳＴＡ１０６を備えることができ、また、通信を送信および／または受信するために使用されることができる。ワイヤレスネットワーク内のデバイス間で交換される通信はパケットまたはフレームを備えることができるデータユニットを含むことができる。いくつかの態様において、データユニットは、データフレーム、制御フレーム、および／または管理フレームを含むことができる。データフレームは、ＡＰおよび／またはＳＴＡからのデータを他のＡＰｓおよび／またはＳＴＡｓに送信するために使用されることができる。制御フレームは、種々の動作を行うための、およびデータ（例えば、データの受信をアクノレジする、ＡＰｓのポーリング、エリアクリアリング(area-clearing)動作、チャネル獲得、キャリアセンシングメインテナンス機能、等）を確実に配信するためのデータフレームと一緒に使用されることができる。管理フレームは、種々のスーパーバイザー機能（例えば、ワイヤレスネットワークへ加入するため、および離脱するため、等）のために使用されることができる。
【００６７】
[0067]この開示のある態様は、ＡＰｓ１０４が、効率を改善するために最適化された方法でＳＴＡｓ１０６送信をスケジュール可能にすることを支援する。高効率ワイヤレス（ＨＥＷ）ステーション、802.11高効率プロトコルを利用するステーション、およびより古いまたはレガシー802.11プロトコルを利用するステーションの両方とも、無線媒体へのアクセスのために競合することができる。ここに記載される高効率８０２．１１プロトコルは、同時に通信することができるデバイスと同時に通信することができないデバイスとを区別する修正されたメカニズム下においてデバイスが動作することを可能にすることができる。したがって、アパートメントビルディングまたは人が密集した公共スペースのケースにおいて、高効率802.11プロトコルを使用するＡＰｓおよび／またはＳＴＡｓは、アクティブなワイヤレスデバイスの数が増加しても低減されたレイテンシおよび増加したネットワークスループットを経験することができ、それによって、ユーザエクスペリエンスを改善されることができる。
【００６８】
[0068]この開示のある態様は、効率を改善するために最適化された方法でＲＴＳ（代替的にＲＴＸと呼ばれる）および／またはＣＴＳ（代替的にＣＴＸと呼ばれる）を用いたノードのあるサブセットの延期をＡＰｓとＳＴＡｓが要求可能にすることを支援する。一般に、通常の８０２．１１プロトコル（例えば、８０２．１１ａ、８０２．１１ｂ、８０２．１１ａｃ、８０２．１１ｇ、８０２．１１ｎ、等）を使用するワイヤレスネットワークは、媒体アクセスに関するキャリア検知多重アクセス（ＣＳＭＡ）メカニズム下において動作する。ＣＳＭＡによると、デバイスは、媒体を検知し、媒体がアイドルであると検知される場合にのみ送信する。基地局サービスエリア（ＢＳＡ）の内または外に配置されたいくつかのＡＰｓまたはＳＴＡｓはＢＳＡ内の１つのＡＰまたはＳＴＡにより行われた送信と干渉することなしにデータを送信することができるので、ＣＳＭＡメカニズムの使用は非効率性をもたらす可能性がある。アクティブなワイヤレスデバイスの数が増大し続けるにつれて、非効率性は、ネットワークレイテンシおよびスループットに著しく影響し始めうる。ここに記載されるＲＴＳ／ＣＴＳ交換プロトコルはデバイスが、ＲＴＳフレームとＣＴＳフレームを交換するデバイスと同時に通信することができるデバイスと、同時に通信することができないデバイスとを区別する修正されたメカニズム下で動作することを可能にすることができる。従って、アパートメントビルディングまたは人が密集した公共スペースの場合において、ここで述べた修正されたＲＴＳ／ＣＴＳプロトコルを使用するＡＰｓおよび／またはＳＴＡｓはアクティブなワイヤレスデバイスが増加したとしても低減されたレイテンシおよび増大したネットワークスループットを経験することができ、それによりユーザイクスペリエンス(user experience)を改善することができる。
【００６９】
[0069]図３は、チャネルＸに関する例示ワイヤレス通信システム３００の図である。図示された態様において、ワイヤレス通信システム３００は複数のＡＰｓ（例えば、ＡＰ１ｘ、ＡＰ２ｘ、ＡＰ３ｘ、およびＡＰ４）を含み、各々はＢＳＡ３０１−３０４およびＳＴＡｓ（例えば、ＳＴＡ１ｘ、ＳＴＡ２ｘおよびＳＴＡ４）を含む。いくつかの態様において、ここに記載されるＡＰｓおよびＳＴＡｓの種々の動作は、交換可能である。チャネルＸ上で作動している各ＡＰ−ＳＴＡリンク（例えば、参照リンク３１５）に関して、成功裏に受信されたバイトの数は以下の方法であらわされることができる。
【００７０】
【数１】
0006526723.tif 000002
【００７１】
ＲＴＳ／ＣＴＳ交換は、ＣＳＭＡレンジ外のチャネルｘ上のデータ送信（ＴＸ）およびチャネルｘ上のアクノレジメント(ACK)送信をゼロに効果的に低減することにより受信されるバイトの合計数を変更することができる。ＣＳＭＡレンジ外のチャネルｘ上にデータ送信（ＴＸ）を送信するノードおよびチャネルｘ上にアクノレジメント（ＡＣＫ）送信を送信するノードは、チャネルｘ上の所定の参照リンク３１５と干渉を生じることができる「ジャマー(jammers)」と考えられることができる。ＲＴＳ／ＣＴＳメッセージがメッセージを受信するノードを沈黙っさせる(silence)ならば、ＲＴＳ／ＣＴＳの使用は、システムスループットを減少させる可能性がある。しかしながら、干渉を生じることができる多くのデバイスがあるとき、ＲＴＳ／ＣＴＳ交換は所定のＳＴＡに関して干渉を低減し受信を改善することができる。
【００７２】
[0070]図４は、１つの態様に従う、例示ワイヤレスフレーム交換４００の図である。図１とともに、いくつかの態様において、ＡＰ１０４はＲＴＳフレームをＳＴＡ１０６に送信することができ、ＳＴＡ１０６はＣＴＳフレームをＡＰ１０４に送信することによりＲＴＳフレームに応答することができる。ＲＴＳ／ＣＴＳ交換は、データ送信がＳＴＡｓ１０６に関して成功しないとき、隠れノードの緩和あるいは媒体をクリアすることに関して望ましい可能性がある。図４に示すように、ＡＰ１は、ＲＴＳ４０５が保留レンジ内のすべてのＳＴＡｓとＡＰｓを保留にした状態でＲＴＳ４０５あるいは他のメッセージをＳＴＡ１に送信することができる。ＡＰ２は保留(defer)レンジ４０１の外にあり、ＡＰ１に対して隠れノードであると考えられる。図４に示すように、ＡＰ２は、ＲＴＳ４０５のＳＴＡ１の受信あるいは応答ＣＴＳフレームの送信と干渉することができる固有の保留レンジ４０２内のＳＴＡ２にメッセージ４１０を送信することができる。
【００７３】
[0071]図４はダウンリンク（ＤＬ）構成を示すけれども、アップリンク（ＵＬ）構成は逆になり得る。例えば、ＳＴＡ１はＵＬ  ＰＰＤＵを開始するために、ＲＴＸをＡＰ１に任意に送信することができる。ＡＰ１は、１つまたは複数の他のマルチユーザ（ＭＵ）ＳＴＡｓと潜在的に同時にＳＴＡ１からＵＬ送信を開始するためにＣＴＸを送信することができる。ＵＬ送信の後、ＡＰ１はアクノレジメント（ＡＣＫ）、あるいはブロックＡＣＫ（ＢＡ）を送信することができる。したがって、隠れノードＡＰ２はＳＴＡ１においてＡＣＫの受信と干渉することができる。
【００７４】
[0072]図５および６はＲＴＸ／ＣＴＸシステムの効果を図示する。図５は、他の態様による例示ワイヤレスフレーム交換の図５００である。図６は、図５のワイヤレスフレーム交換のタイムシーケンス図６００である。図５および６において、１つまたは複数のＭＵ  ＳＴＡｓ  ＳＴＡ１−ＮはＡＰ１に、保留レンジ５０１を有したＲＴＸフレーム６０１を送信する。種々の態様において、ＲＴＸフレーム６０１はオプションである。次にＡＰ１は保留レンジ５０２を有したＣＴＸフレーム６０２に応答する。ＳＴＡｓ  ＳＴＡ１−ＮはＵＬ  ＭＵ  ＰＰＤＵｓ６０４をＡＰ１に送信する。ＡＰ２（隠れノード）はＵＬ  ＭＵ  ＰＰＤＵｓ６０４のレガシーＰＨＹヘッダ内の期間を復号することができる。期間は、ＵＬ  ＭＵ  ＰＰＤＵｓ６０４のペイロードが終了する時刻を示すことができる。ＡＰ２は、その期間６１０に対して延期するおよび／またはアイドル状態のままでいることができる。それは、示された期間プラス拡張されたインターフレームスペース（ＥＩＦＳ）持続することができる。種々のシングルユーザ態様において期間６１０はＡＰ１がＡＣＫを送信するのに十分であり得る。他方、図示されたマルチユーザ態様において、期間６１０はＡＰ１がＢＡ６０６を送信するのに十分でない。したがって、ＡＰ２はＳＴＡｓ  ＳＴＡ１−ＮがＢＡ６０６を受信している間、干渉を生じることができる。
【００７５】
[0073]種々の態様において、図６を参照して上で述べた潜在的干渉はペイロードの実際の期間より長いＵＬ  ＭＵ  ＰＰＤＵ６０４のＰＨＹヘッダに期間表示を設定することにより回避されることができる。この開示は一般には、「複数期間」に言及するが、フレーズは、さらに、長さ、サイズ、開始および終了時刻（明示的あるいは間接的）、および送信時間、あるいはペイロード、パケットおよび／またはパケットの一部をさらに含むように熟考される。同様に、この開示は一般には、実際の「期間」等に言及するけれども、このフレーズは、予想期間(expected duration)、指示された期間、予測期間(anticipated duration)、将来の期間をさらに含むように考慮(contemplated)され、より一般的には、送信に関連する時間として参照されることができる。
【００７６】
[0074]種々の態様において、期間表示は、パケット送信時間インジケータと呼ばれることができる。期間表示がＰＰＤＵの長さあるいは終わりを正確に示していないとき、スプーフィングされた期間(spoofed duration)、スプーフィングされたパケット送信時間インジケータ、調整された期間、調整されたパケット送信時間インジケータ、修正された期間、修正されたパケット送信時間インジケータ、伸張された期間(lengthened duration)、伸張されたパケット送信時間インジケータ、不正確な期間、不正確なパケット送信時間インジケータ、伸張されたパケット送信時間インジケータ、（例えば、レガシー基準に対して）非コンプライアンス期間(non-compliant duration)、非コンプライアンスパケット送信時間インジケータ等と様々に呼ばれることができる。いくつかの態様において、期間表示は、レガシープリアンブル規格に対してのみ非コンプライアンスであり得る。ＰＰＤＵ６０４は、１つまたは複数の代替期間表示（例えば、ＨＥプリアンブルにおいて）を含むことができ、それは、ＰＰＤＵ６０４の期間を正確に示すことができる。いくつかの態様において、ＨＥプリアンブルはＰＰＤＵ６０４の期間の正確な表示を含めることができない。
【００７７】
[0075]図７は他の態様に従う図６のワイヤレスフレーム交換のタイムシーケンス図７００である。図７において、１つまたは複数のＭＵ  ＳＴＡｓＳＴＡ１−ＮはＡＰ１に、保留レンジ５０１を有するＲＴＸフレーム７０１を送信する。種々の態様において、ＲＴＸフレーム７０１は任意である。次に、ＡＰ１は、保留レンジ５０２を有するＣＴＸ７０２に応答する。種々の態様において、ＣＴＸ７０２フレームはＵＬ  ＭＵ  ＰＰＤＵｓ７０４がどのくらいの長さであるべきかの表示を含むことができる。たとえば、ＣＴＸ７０２フレームは、ＵＬ  ＭＵ  ＰＰＤＵｓ７０４の予想期間を指示する命令を含むことができる。種々の態様において、期間命令は、期間表示、パケット送信時間命令、パケット送信時間インジケータ、最大パケット送信時間命令、最大パケット送信時間インジケータ等と呼ばれることができる。種々の態様において、期間命令はＰＰＤＵ７０４の実際のまたは予想される送信時間を超えるさらなる時間量を示すことができる、それは、ＳＴＡｓ  ＳＴＡ１−Ｎがそのスプーフィングされた期間表示において示さなければならない。
【００７８】
[0076]種々の態様において、さらなる時間量は、たとえば、ＥＩＦＳの２倍のように、ＥＩＦＳの倍数に基づいて示されることができる。種々の態様において、期間命令は、シンボル数とシンボルレートの組み合わせを用いてＵＬ  ＭＵ  ＰＰＤＵｓ  ７０４の期間および／または長さを指定することができる。他の態様において、期間命令は、秒数または分数秒またはタイムユニット（ＴＵｓ）を用いてＵＬ  ＭＵ  ＰＰＤＵ７０４の期間および／または長さを指定することができる。
【００７９】
[0077]ＣＴＸ７０２フレームに応答して、ＳＴＡｓ  ＳＴＡ１−ＮはＵＬ  ＭＵ  ＰＰＤＵｓ  ７０４をＡＰ１に送信する。ＳＴＡｓ  ＳＴＡ１−Ｎは、ＰＰＤＵｓ７０４の長さをＣＴＸ７０２フレーム内の期間命令と等しいかまたは以下に設定することができる。図６に関して上で述べた態様とは異なり、ＰＰＤＵ  ７０４のレガシーＰＨＹヘッダは、不正確な期間表示を含むことができる。それは、ＰＰＤＵ７０４が実際に終了する（あるいは終了が予期される）よりも遅く終了することを示す。たとえば、期間表示はＵＬ  ＭＵ  ＰＰＤＵ  ７０４のペイロードが、ＢＡ７０６が受信される後までＡＰ２を保留させるのに十分な時間で終了することを示すことができる。ＡＰ２（隠れノード）はＵＬ  ＭＵ  ＰＰＤＵｓ  ７０４のレガシーＰＨＹヘッダ内の期間を復号することができる。従って、ＡＰ２は期間７１０に関して保留および／またはアイドル状態を維持することができ、それは表示された期間プラス拡張されたフレーム間スペース（ＥＩＦＳ）の間持続することができる。従って、ＡＰ２は、ＳＴＡｓ  ＳＴＡ１−ＮがＢＡ７０６を受信している間干渉を引き起こさない。
【００８０】
[0078]図８は、ＯＦＤＭＡ部またはＭＵ-ＭＩＭＯ部を含む物理レイヤデータユニット（ＰＰＤＵ）８００パケットフォーマットの１つの態様の図である。ＰＰＤＵ８００は、図１−７を参照して上で述べたＳＴＡ１のような、ワイヤレスデバイスによって送信されることができる。１態様において、ＰＰＤＵ８００は図７を参照して上で述べたＵＬ  ＭＵ  ＰＰＤＵ７０４を含むことができる。ＰＰＤＵ８００は、レガシー部（例えば、ＰＨＹヘッダー８０１）を備えることができる。それは、レガシーフィールド、すなわち、レガシーショートトレイニングフィールド（Ｌ−ＳＴＦ）８０２、レガシーロングトレイニングフィールド（Ｌ−ＬＴＦ）８０４、およびレガシー信号フィールド（Ｌ−ＳＩＧ）８０６を含む。複数の特徴がＩＥＥＥ８０２．１１に付加されたので、複数のデータパケット内の複数のＳＩＧフィールドのフォーマットに対する変更はさらなる情報をＳＴＡｓに提供するように発展された。図８は、例示ＩＥＥＥ８０２．１１ａｘパケットに関するパケット構造を示す。ＩＥＥＥ８０２．１１ａ／ｂ／ｇ（等）デバイスとＩＥＥＥ８０２．１１ａｘデバイスの両方を含むシステムに関する後方互換性を提供するために、ＩＥＥＥ８０２．１１ａｘシステムに関するデータパケットはまた、それらが「レガシー」フィールドであることを示すために、プリフィックスＬを有するＬ−ＳＴＦ８０２、Ｌ−ＬＴＦ８０４、およびＬ−ＳＩＧ８０６として知られる、これらの初期システムのＳＴＦ、ＬＴＦおよびＳＩＧフィールド８０６を含む。ＩＥＥＥ８０２．１１ａ／ｂ／ｇで動作するように構成されたレガシーデバイスがそのようなパケットを受信すると、それはＬ−ＳＩＧフィールド８０６をノーマル１１／ｂ／ｇパケットとして受信し復号することができる。しかしながら、デバイスがさらなるビットを復号し続けると、Ｌ−ＳＩＧフィールド８０６以降のデータパケットのフォーマットは、１１／ｂ／ｇパケットのフォーマットと異なるので、それらは成功裏に復号されず、そして、この処理期間にデバイスにより行われるＣＲＣチェックは失敗する可能性がある。これは、これらのレガシーデバイスがパケットを処理することを停止させるが、初期に復号されたＬ−ＳＩＧ内のレングスフィールドにより定義される時間期間が経過するまでいずれかのさらなる動作を依然として保留
する。それに反して、ＩＥＥＥ８０２．１１ｎと互換性のある新しいデバイスは、後続の高効率信号フィールド（ＨＥ−ＳＩＧ）８０８内の変調を検出することができ、それは、ＰＰＤＵ８００に関するあるシグナリング情報を含み、そして８０２．１１ａｘパケットとしてそのパケットを処理することができる。ＰＰＤＵ８００はまた、１つまたは複数のショートトレイニングフィールド（ＳＴＦｓ）およびロングトレーニングフィールド（ＬＴＦｓ）、および１つのＭＵ−ＭＩＭＯまたはＯＦＤＭＡデータペイロード８１４を含む。
【００８１】
[0079]ＰＨＹヘッダ８０１は図７に関して上で述べたスプーフィングされた期間表示を含むことができる。スプーフィングされた期間表示は、Ｌ−ＳＩＧフィールド８０６に含まれることができる。いくつかの態様において、ＨＥ−ＳＩＧフィールド８０８は、１つの正確な期間表示を含むことができ、それは、いくつかの態様において、非レガシーデバイスによってのみ復号可能である。いくつかの態様において、ＨＥ−ＳＩＧフィールド８０８は期間表示を含むことができず、そしてリッスンデバイスは、たとえばＣＴＸ７０２（図７）内の期間表示に基づいて、ＰＰＤＵ８００の長さを暗黙的に決定することができる。
【００８２】
[0080]図９は図１のワイヤレス通信システム１００内で採用されることができる無線通信の例示方法に関するフローチャート９００を示す。方法は、図２に示されるワイヤレスデバイス２０２のような、ここで記載されるデバイスにより全体または部分がインプリメントされることができる。図示された方法は、ここでは、図１に関して上述されたワイヤレス通信システム１００、図２に関して上述されたワイヤレスデバイス２０２、図３に関して上述されたワイヤレス通信システム３００、図４に関して上述されたワイヤレスフレーム交換４００、図５に関して上述されたタイミング図５００を参照して記載されるけれども、当業者は、図示された方法は、ここに記載される他のデバイスまたはいずれかの他の適切なデバイスによりインプリメント可能であることを理解するであろう。図示された方法は、多様な実施形態で、特定の順序に関して本明細書で説明されるが、種々の態様において、本明細書のブロックは、異なる順序で実行されることができ、または省略されることができ、およびさらなるブロックが追加されることができる。
【００８３】
[0081]ブロック９１０において、ワイヤレスデバイスは複数のデバイスの各々が他の複数のデバイスの各送信に少なくとも部分的に同時にパケットを送信することを指示するメッセージを受信する。例えば、図７に戻ると、ＳＴＡ１はＡＰ１からＣＴＸ７０２を受信することができ、これは、複数のＳＴＡｓ  ＳＴＡ１−ＳＴＡＮがＵＬ  ＭＵ  ＰＰＤＵ７０４をＡＰ１に同時に送信することを指示することができる。
【００８４】
[0082]種々の態様において、複数のデバイスの各々がパケットを送信することを指示するメッセージはワイヤレスデバイスの識別子を備えるclear-to-sendフレームを含む。たとえば、複数のデバイスの各々がパケットを送信することを指示するメッセージはＣＴＸ７０２を含むことができ、それはＳＴＡ１の（ＡＩＤまたは部分ＡＩＤのような）識別子を含むことができる。
[0083]次に、ブロック９２０において、ワイヤレスデバイスはパケットを生成する。パケットは、パケットの送信に関連する時間よりも大きな値を有するインジケータを含む。種々の態様において、パケットの送信に関連する時間はパケットの時間期間であり得る。例えば、パケットの送信に関連する時間は、ＰＰＤＵ７０４の正確な時間期間であり得る。
【００８５】
[0084]次に、ブロック９３０において、ワイヤレスデバイスは送信用パケットを提供する。例えば、ＳＴＡ１は、例えば、送信機２１０（図２）により、送信用のＵＬ  ＭＵＰＰＤＵ７０４ＡＰ１へ提供することができる。ＵＬ  ＭＵ  ＰＰＤＵ  ７０４は、たとえば、ＰＨＹヘッダ８０１のＬ−ＳＩＧフィールド８０６内に、図７−８に関して上述したスプーフィングされた期間表示を含めることができる。図７に示されるように、スプーフィングされた期間表示は、（例えば、図６に比べて）ＰＰＤＵ７０４の送信に関連する時間よりも大きなＰＰＤＵ７０４のパケット送信時間を示すことができる。
【００８６】
[0085]さまざまな態様において、ワイヤレスデバイスは、インジケータで示される時間の期間にパケットの受信に関するアクノレジメントを受信する。インジケータは少なくともアクノレジメントの送信時間によりパケットの送信に関連する時間より大きな値を有する。たとえば、ＳＴＡ１は、図７に示される期間の間にＡＰ１からＢＡ７０６を受信することができる。期間は、少なくともＢＡ７０６の送信時間だけ、ＰＰＤＵ７０４の実際の送信時間より長くなり得る。さまざまな態様において、期間は少なくともＢＡ７０６プラスＳＩＦＳ、マイナスＥＩＦＳだけＰＰＤＵ７０４の実際の送信時間より長くなり得る。言い換えれば、期間は、少なくともＳＴＡ１が干渉を受けずにＢＡ７０６を受信するのに十分な長さでＡＰ２を保留またはアイドルさせるのに十分なＰＰＤＵ７０４の実際の送信時間より長くなり得る。さまざまな態様において、期間は、少なくともＢＡプラスＥＩＦＳだけＰＰＤＵ７０４の実際の送信時間より長くなり得る。
【００８７】
[0086]種々の態様において、複数のデバイスの各々がパケットを送信することを指示するメッセージは時間期間の表示を含む。インジケータの値は、時間期間の表示に基づくことができる。例えば、ＣＴＸ７０２はＰＰＤＵ７０４の送信時間、ＳＴＡ１がＡＰ２に示す保留またはアイドル時間、またはこの２つの間の差、の１つまたは複数の表示を含むことができる。種々の態様において、ＡＰ１はＳＴＡｓ  ＳＴＡ１−Ｎの各々に異なる時間期間を示すことができる。種々の態様に置いて、時間期間はＡＣＫ（それはＳＴＡｓ  ＳＴＡ１−Ｎの各々に関して異なり得る）に関する時間期間であり得る。
【００８８】
[0087]種々の態様において、ＳＴＡ１は、時間期間を、例えばメモリから検索された所定値または静的値、またはハードコード化(hard-coded)であるように決定することができる。種々の態様において、ＳＴＡ１は、ＡＰ１およびＣＴＸ７０２とは独立に時間期間を決定することができる。種々の態様において、ＡＰ１はネットワークアロケーションベクトル（ＮＡＶ）を介して時間期間を示すことができる。種々の態様において、ＡＰ１は別個の専用通信において時間期間を示すことができる。
【００８９】
[0088]種々の態様において、複数のデバイスの各々がパケットを送信することを指示するメッセージはパケット送信時間命令を含み、ワイヤレスデバイスはパケットの実際の送信時間をパケット送信時間命令と等しくなるように設定する。例えば、ＣＴＸ７０２はＵＬ  ＭＵ  ＰＰＤＵ  ７０４が特定の長さであるＳＴＡ１への命令を含むことができる。命令は、例えば、送信時間、またはシンボル数とシンボルレートの組み合わせを含むことができる。ＳＴＡ１は、送信時間が、パケット送信時間命令と等しいかまたは実質的に等しいようにＵＬ  ＭＵ  ＰＰＤＵ  ０４を送信することができる。たとえば、実質的に等しい送信時間は、送信機または受信機のタイミング許容値内の送信時間を含むことができる。
【００９０】
[0089]種々の態様において、パケットは、マルチ入力マルチ出力フレームまたは直交周波数分割多元接続フレームを含むことができる。たとえば、ＵＬ  ＭＵ  ＰＰＤＵ  ７０４はＭＩＭＯフレームを含むことができる。ＵＬ  ＭＵ  ＰＰＤＵ７０４はＯＦＤＭＡフレームを含むことができる。種々の態様において、ＵＬ  ＭＵ  ＰＰＤＵ７０４はいずれかのマルチユーザ技術を含むことができる。
【００９１】
[0090]種々の態様において、パケットはインジケータを備えるシングルユーザ部を含む。例えば、ＵＬ  ＭＵ  ＰＰＤＵ７０４は図８に関して上述したレガシーフィールド８０２、８０４、および８０６を含むことができる。種々の態様において、シングルユーザ部は８０２．１１ａまたは８０２．１１ｂプリアンブルフォーマットと互換性がある。
【００９２】
[0091]種々の態様において、パケットはパケット送信時間の表示を有さないマルチユーザ部を含む。例えば、ＵＬ  ＭＵ  ＰＰＤＵ  ７０４は図８に関して上述したＨＥフィールド８０８および８１０を含むことができる。いくつかの態様において、ＨＥフィールド８０８および８１０が別個の期間表示を含むかもしれない場合、少なくとも１つの態様において、それらはパケット期間の表示を含まない。種々の態様において、ＡＰ１は、例えば、ＣＴＸ７０２で提供される期間命令に基づいて、暗黙的にＰＰＤＵ  ７０４の期間を決定することができる。
【００９３】
[0092]種々の態様において、パケットは、複数のデバイスの１つにより送信されたパケットに同一の部分を含むことができる。該部分は、インジケータを含むことができる。例えば、ＵＬ  ＭＵ  ＰＰＤＵ７０４は図８を参照して上述したレガシーフィールド８０２、８０４、および８０６を含むことができる。種々の態様において、ＳＴＡｓ  ＳＴＡ１−Ｎの各々は異なるＰＰＤＵ７０４を送信することができ、各ＰＰＤＵ７０４は例えば、Ｌ−ＳＩＧ８０６において、共通の持続期間フィールドを有する。
【００９４】
[0093]図１０は、無線通信に関する装置１０００の機能ブロック図である。当業者は、無線通信を検出するための装置は、図１０に示される簡単化された装置１０００よりも多くのコンポーネントを有することができることを理解するであろう。示された無線通信に関する装置１０００は、特許請求の範囲内のインプリメンテーションのいくつかの卓越した特徴を説明するために役立つこれらのコンポーネントのみを含む。無線通信に関する装置１０００は、他の複数のデバイスの各送信に少なくとも部分的に同時にパケットを送信するように複数のデバイスの各々を指示するメッセージを受信するための手段１００２と、パケットを生成するための手段１００４と、および送信用パケットを提供する手段１００６を含む。種々の態様において、装置１０００はさらにここに記載されるいずれかの他のブロックまたは機能を実行するための手段を含むことができる。
【００９５】
[0094]１つの態様において、他の複数のデバイスの各送信と少なくとも部分的に同時にパケットを送信するように複数のデバイスの各々を指示するメッセージを受信するための手段１００２は、ブロック９１０（図９）に関して上述した機能の１つまたは複数を実行するように構成されることができる。種々の態様において、手段１００２は、プロセッサ２０４（図２）、メモリ２０６（図２）、信号検出器２１８（図２）、ＤＳＰ２２０（図２）、受信機２１２（図２）、トランシーバ２１４（図２）、および／またはアンテナ２１６（図２）の１つまたは複数によりインプリメントされることができる。
【００９６】
[0095]ある実施形態では、パケットを生成するための手段１００４は、ブロック９２０（図９）に関して上述した機能の１つまたは複数を実行するように構成されることができる。種々の態様において、手段１００４は、プロセッサ２０４（図２）、メモリ２０６（図２）、およびＤＳＰ２２０（図２）の１つまたは複数によりインプリメントされることができる。
【００９７】
[0096]１つの態様において、送信用パケットを提供する手段１００６は、ブロック９３０（図９）に関して上述した機能の１つまたは複数を実行するように構成され得る。種々の態様において、手段１００６は、プロセッサ２０４（図２）、メモリ２０６（図２）、ＤＳＰ２２０（図２）、送信機２１０（図２）、トランシーバ２１４（図２）および／またはアンテナ２１６（図２）の１つまたは複数によりインプリメントされることができる。
【００９８】
[0097]１つの態様において、装置はさらに、インジケータで示される時間の期間にパケットの受信に関するアクノレジメントを受信する手段を含むことができ、値は、少なくともアクノレジメントの送信時間だけパケットの送信に関連する時間よりも大きい。種々の態様において、アクノレジメントを受信する手段は、プロセッサ２０４（図２）、メモリ２０６（図２）、信号検出器２１８（図２）、ＤＳＰ２２０（図２）、受信機２１２（図２）、トランシーバ２１４（図２）および／またはアンテナ２１６（図２）の１つまたは複数によりインプリメントされることができる。
【００９９】
[0098]１つの態様において、装置は、パケット送信時間命令により示される時間期間の間に送信用パケットを提供する手段をさらに含むことができる。種々の態様において、パケットを提供する手段は、プロセッサ２０４（図２）、メモリ２０６（図２）、ＤＳＰ２２０（図２）、送信機２１０（図２）トランシーバ２１４（図２）および／またはアンテナ２１６（図２）の１つまたは複数によりインプリメントされることができる。
【０１００】
[0099]当業者であれば、情報および信号が、様々な異なる技術および技法のいずれかを使用して表されうることを理解するであろう。例えば、上記の説明の全体にわたって参照され得る、データ、命令、コマンド、情報、信号、ビット、シンボル、およびチップは、電圧、電流、電磁波、磁場あるいは磁粒子、光場あるいは光学粒子、あるいはそれらのいずれかの組み合わせによって表わされ得る。
【０１０１】
［00100］本開示で説明されるインプリメンテーションへの様々な変更は、当業者にとって容易に明らかであり、および、ここで定義される一般的な原理は、本開示の精神または範囲から逸脱することなく他のインプリメンテーションに適用されうる。したがって、本開示は、本明細書に示されるインプリメンテーションに限定されるように意図されず、ここに開示される特許請求の範囲、原理および新規な特徴と一致する最も広い範囲を与えられることとなる。「例示的」という用語は、本明細書では、「例、事例、または実例としての役割を果たす」という排他的な意味で使用される。「例証的（exemplary）」として本明細書に説明されるいずれかのインプリメンテーションは、他のインプリメンテーションよりも好ましいまたは有利であるとして必ずしも解釈されるべきではない。
【０１０２】
[00101]別個のインプリメンテーションに照らして本明細書で説明される、ある特徴もまた、単一のインプリメンテーションで組み合わせてインプリメントされることができる。反対に、単一のインプリメンテーションのコンテキストにおいて説明された様々な特徴は、また、複数のインプリメンテーションで別個に、またはいずれかの適したサブコンビネーションでインプリメントされることができる。さらに、特徴は、ある組み合わせで作用するように上述され、ならびにそのように最初に特許請求さえもされうるが、特許請求される組み合わせからの１つまたは複数の特徴は、いくつかの場合では、その組み合わせから削除されることができ、特許請求される組み合わせは、サブコンビネーション、またはサブコンビネーションの変形物に向けられうる。
【０１０３】
[00102]ここにおいて使用される場合、項目のリスト「のうちの少なくとも１つ」というフレーズは、単一の要素を含む、それらの項目のいずれかの組み合わせを指す。例として、「ａ、ｂ、またはｃのうちの少なくとも１つ」は、ａ、ｂ、ｃ、ａ−ａ、ｂ−ｂ、ｃ−ｃ、ａ−ｂ、ａ−ｃ、ｂ−ｃ、およびａ−ｂ−ｃをカバーするように意図される。
【０１０４】
[00103]上述された方法の様々な動作は、様々なハードウェアおよび／またはソフトウェアコンポーネント、回路、および／またはモジュールのような、動作を遂行することが可能であるいずれかの適した手段によって遂行されることができる。一般的に、図に図示されたいずれかのオペレーションは、オペレーションを実施する能力がある対応する機能的手段によって実施されることができる。
【０１０５】
[00104]本開示に関連して説明された、多様な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、または、本明細書で説明された機能を実施するために設計された、それらのいずれかの組み合わせを用いてインプリメントまたは実施されうる。汎用プロセッサは、マイクロプロセッサであることができるが、代わりに、プロセッサは、いずれかの市販のプロセッサ、コントローラ、マイクロコントローラ、またはステートマシンであることができる。プロセッサはまた、例えば、ＤＳＰとマイクロプロセッサの組み合わせ、複数のマイクロプロセッサ、ＤＳＰコアと併せた１つまたは複数のマイクロプロセッサ、またはいずれかの他のそのような構成である、コンピューティングデバイスの組み合わせとしてインプリメントされることができる。
【０１０６】
[00105]１つまたは複数の例証的な態様において、説明された機能は、ハードウェア、ソフトウェア、ファームウェア、またはそれらのいずれかの組み合わせ内においてインプリメントされうる。ソフトウェアでインプリメントされる場合、機能は、コンピュータ可読媒体における１つ以上の命令またはコードとして、記憶または送信されることができる。コンピュータ可読媒体は、１つの場所から別の場所へのコンピュータプログラムの転送を容易にするいずれかの媒体を含む通信媒体とコンピュータ記憶媒体との両方を含む。記憶媒体は、コンピュータによってアクセスされることができるいずれかの利用可能な媒体であることができる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができるいずれかの他の媒体を備えることができる。また、いずれかの接続は、厳密にはコンピュータ可読媒体と称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のような無線技法を使用して送信される場合、同軸ケーブル、光ファイバーケーブル、ツイストペア、ＤＳＬ、あるいは赤外線、無線、およびマイクロ波のような無線技法は送信媒体の定義に含まれている。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disk）は通常、磁気的にデータを再生し、ディスク（disc）は、レーザーを用いて光学的にデータを再生する。したがって、いくつかの態様では、コンピュータ可読媒体は、非一時的なコンピュータ可読媒体（例えば、有形媒体）を備えうる。加えて、いくつかの態様において、コンピュータ可読媒体は、一時的コンピュータ可読媒体（例えば、信号）を備えうる。
上記の組み合わせはまた、コンピュータ可読媒体の範囲内に含まれるべきである。本明細書で開示される方法は、説明された方法を達成するための1つ以上のステップまたは動作を備える。方法のステップ及び／又は動作は、特許請求の範囲から逸脱することなく、互いにやりとりされることができる。言い換えれば、ステップまたは動作の特定の順序が特定されていない限り、特定のステップおよび／または動作の順序および／または使用は、特許請求の範囲から逸脱することなく修正されることができる。
【０１０７】
[00106]さらに、ここに説明された方法および技法を実行するためのモジュールおよび／または他の適切な手段が、ダウンロードされることができること、および／または、そうでなければ、ユーザ端末および／または基地局によって、適用可能に得られることが理解されるべきである。例えば、そのようなデバイスは、本明細書で説明された方法を遂行するための手段の転送を容易にするためにサーバに結合されることができる。代替として、本明細書で説明された様々な方法は、デバイスに記憶手段を結合または提供する際にユーザ端末および／または基地局が様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。さらに、本明細書で説明された方法および技法をデバイスに提供するためのいずれかの他の適切な技法が、利用され得る。
【０１０８】
[00107]前述の内容が本開示の態様に向けられる一方、本開示の他のおよびさらなる態様は、その基本的な範囲から逸脱することなく考案されることがあり得、その範囲は、次の特許請求の範囲によって決定される。
以下に本願の出願当初の特許請求の範囲に記載された発明を付記する。
[Ｃ１]
無線通信に関する装置であって、
複数のデバイスの各々が、他の複数のデバイスの各送信と少なくとも部分的に同時にパケットを送信することを指示するメッセージを受信し、前記パケットの送信に関連する時間より大きな値を有するインジケータを備えたパケットを生成する、ように構成された処理システムと、および
送信に関するパケットを提供するように構成されたインタフェースと、を備えた、装置。
[Ｃ２]  前記パケットの前記送信に関連する前記時間は、前記パケットの時間期間を備える、Ｃ１の装置。
[Ｃ３]  前記処理システムは、前記インジケータの値によって示された時間期間の間に前記パケットの受信に関するアクノレジメントを受信するように構成される、Ｃ１の装置。
[Ｃ４]  前記パケットを送信するように前記複数のデバイスの各々を指示する前記メッセージは、前記装置の識別子を備えるclear-to-sendフレームを備える、Ｃ１の装置。
[Ｃ５]  前記パケットを送信するように前記複数のデバイスの各々を指示する前記メッセージは、時間期間の表示を備え、前記インジケータの値は、前記時間期間の表示に基づく、Ｃ１の装置。
[Ｃ６]  前記パケットを送信するように前記複数のデバイスの各々を指示する前記メッセージは、アクノレジメントの送信に関連する時間を示す時間期間の表示を備え、前記インジケータの値は、前記時間期間の表示に基づく、Ｃ１の装置。
[Ｃ７]  前記パケットを送信するように前記複数のデバイスの各々を指示するメッセージは、パケット送信時間時間命令を備え、前記インタフェースースは、前記パケット送信時間命令により示された時間期間に前記送信に関するパケットを提供するように構成される、Ｃ１の装置。
[Ｃ８]  前記パケットは、マルチ入力マルチ出力フレームまたは直交周波数分割多元接続フレームを備える、Ｃ１の装置。
[Ｃ９]  前記パケットは、前記インジケータを備えるシングルユーザ部を備え、前記シングルユーザ部は、802.11aまたは802.11bプリアンブルフォーマットと互換性がある、Ｃ１の装置。
[Ｃ１０]  前記パケットは、パケット送信時間の表示を有さないマルチユーザ部を備える、Ｃ１の装置。
[Ｃ１１]  前記パケットは、前記複数のデバイスの１つにより送信されたパケットに同一の部分を備え、前記部分は前記インジケータを備える、Ｃ１の装置。
[Ｃ１２]  無線通信の方法において、
複数のデバイスの各々が、前記他の複数のデバイスの各々と少なくとも部分的に同時に送信するように指示するメッセージをワイヤレスデバイスにおいて受信することと、
前記パケットの送信に関連する時間よりも大きな値を有するインジケータを備えるパケットを生成することと、
前記送信に関するパケットを提供することと、を備える、方法。
[Ｃ１３]  前記パケットの前記送信に関連する前記時間は、前記パケットの時間期間を備える、Ｃ１２の方法。
[Ｃ１４]  前記インジケータ内に示される時間の期間に前記パケットの受信に関するアクノレメントを受信することをさらに備え、前記値は、前記少なくとも前記アクノレジメントの送信時間だけ前記パケットの送信に関連する時間より大きな値である、Ｃ１２の方法。
[Ｃ１５]  前記パケットを送信するように前記複数のデバイスの各々を指示する前記メッセージは前記ワイヤレスデバイスの識別子を備えるclear-to-sendフレームを備える、Ｃ１２の方法。
[Ｃ１６]  前記パケットを送信するように前記複数のデバイスの各々に指示する前記メッセージは、時間期間の表示を備え、前記方法はさらに、前記時間期間の表示にもとづいた前記値を有する前記インジケータを提供することをさらに備える、Ｃ１２の方法。
[Ｃ１７]  前記パケットを送信するように前記複数のデバイスの各々を指示する前記メッセージは、アクノレジメントの送信に関連する時間を示す時間期間の表示を備え、前記方法はさらに前記時間期間の表示に基づいた前記値を有するインジケータを提供することをさらに備える、Ｃ１２の方法。
[Ｃ１８]  前記パケットを送信するように前記複数のデバイスの各々を指示する前記メッセージは、パケット送信時間命令を備え、前記方法は、前記パケット送信時間命令により示される時間期間の間に前記送信に関するパケットを提供することをさらに備える、Ｃ１２の方法。
[Ｃ１９]  前記パケットは、マルチ入力マルチ出力フレームまたは、直交周波数分割多元接続フレームを備える、Ｃ１２の方法。
[Ｃ２０]  前記パケットは、前記インジケータを備えるシングルユーザ部を備え、前記シングルユーザ部は802.11aまたは802.11bプリアンブルフォーマットと互換性がある、Ｃ１２の方法。
[Ｃ２１]  前記パケットはパケット送信時間の表示を有さないマルチユーザ部を備える、Ｃ１２の方法。
[Ｃ２２]  前記パケットは、前記複数のデバイスの１つにより送信されたパケットと同一の部分を備え、前記部分は前記インジケータを備える、Ｃ１２の方法。
[Ｃ２３]  無線通信のために構成された装置において、
アンテナと、
複数のデバイスの各々が前記他の複数のデバイスの各送信と少なくとも部分的に同時に送信するように指示するメッセージを受信し、
前記パケットの送信に関連する時間より大きな値を有するインジケータを備える前記パケットを生成する、ように構成された処理システムと、および
前記アンテナを介して前記送信に関するパケットを提供するように構成されるインタフェースと、を備える無線通信に関する無線ノード。
[Ｃ２４]  無線通信に関する装置において、
複数のデバイスの各々が、前記他の複数のデバイスの各送信と少なくとも部分的に同時にパケットを送信するように指示するメッセージをワイヤレスデバイスにおいて受信する手段と、
前記パケットの送信に関連する時間よりも大きな値を有するインジケータを備える前記パケットを生成する手段と、および
前記送信に関するパケットを提供する手段と、を備える装置。
[Ｃ２５]  前記パケットの前記送信に関する前記時間は、前記パケットの時間期間を備える、Ｃ２４の装置。
[Ｃ２６]  前記インジケータ内に示される時間の期間に前記パケットの受信に関するアクノレメントを受信する手段をさらに備え、前記値は、少なくとも前記アクノレジメントの送信時間だけ前記パケットの前記送信に関連する時間より大きな値である、Ｃ２４の装置。
[Ｃ２７]  前記パケットを送信するように前記複数のデバイスの各々に指示する前記メッセージは前記ワイヤレスデバイスの識別子を備えるclear-to-sendフレームを備える、Ｃ２４の装置。
[Ｃ２８]  前記パケットを送信するように前記複数のデバイスの各々に指示する前記メッセージは、時間期間の表示を備え、前記装置はさらに、前記時間期間の前記表示にもとづいた前記値を有する前記インジケータを提供する手段をさらに備える、Ｃ２４の装置。
[Ｃ２９]  前記パケットを送信するように前記複数のデバイスの各々に指示する前記メッセージは、アクノレジメントの送信に関連する時間を示す時間期間の表示を備え、前記インジケータの値は前記時間期間の表示に基づく、Ｃ２４の装置。
[Ｃ３０]  前記パケットを送信するように前記複数のデバイスの各々に指示する前記メッセージは、パケット送信時間命令を備え、前記装置は、前記パケット送信時間命令により示される時間期間の間前記送信に関するパケットを提供する手段をさらに備える、Ｃ２４の装置。
[Ｃ３１]  前記パケットは、マルチ入力マルチ出力フレームまたは、直交周波数分割多元接続フレームを備える、Ｃ２４の装置。
[Ｃ３２]  前記パケットは、前記インジケータを備えるシングルユーザ部を備え、前記シングルユーザ部は802.11aまたは802.11bプリアンブルフォーマットと互換性がある、Ｃ２４の装置。
[Ｃ３３]  前記パケットは、パケット送信時間の表示を有さないマルチユーザ部を備える、Ｃ２４の装置。
[Ｃ３４]  前記パケットは、前記複数のデバイスの１つにより送信されたパケットに同一の部分を備え、前記部分は前記インジケータを備える、Ｃ２４の装置。
[Ｃ３５]  実行されると、装置に無線通信の方法を実行させる命令を用いて符号化されたコンピュータ読取可能媒体において、前記方法は、
複数のデバイスの各々が前記他の複数のデバイスの各送信に少なくとも部分的に同時にパケットを送信するように指示するメッセージを受信することと、
前記パケットの送信に関連する時間より大きな値を有するインジケータを備える前記パケットを生成することと、および
送信用パケットを提供することと、を備える、コンピュータ読取可能媒体。
【図１】
0006526723.tif 000003
【図２】
0006526723.tif 000004
【図３】
0006526723.tif 000005
【図４】
0006526723.tif 000006
【図５】
0006526723.tif 000007
【図６】
0006526723.tif 000008
【図７】
0006526723.tif 000009
【図８】
0006526723.tif 000010
【図９】
0006526723.tif 000011
【図１０】
0006526723.tif 000012